(57)【要約】【課題】従来の無線基地局では実相面積やコストの冗長が発生するという問題点があったが、本発明は、カスケード接続による無線基地局の増設／撤去を効率よく臨機応変に行うことができ、且つ簡単な処理によって各無線基地局のマスタ／スレーブ識別を行うことができる無線基地局のマスタ／スレーブ識別方法及び無線基地局を提供する。【解決手段】無線基地局２の保守監視制御部２３が、上位装置にマスタ／スレーブ識別のための問合せを送信し、応答を受信しない場合は自己をマスタの無線基地局と識別し、応答を受信した場合は自己をスレーブの無線基地局と識別する無線基地局のマスタ／スレーブ識別方法及び無線基地局である。【選択図】        図７
2004235690.tif 000002
【特許請求の範囲】
【請求項１】
無線網制御装置に伝送路を介して複数の無線基地局を多段接続する移動通信システムにおける各無線基地局のマスタ／スレーブ識別方法であって、
前記無線基地局に、下位の無線基地局からのマスタ／スレーブ識別のための問合せを受信すると前記下位の無線基地局に応答を送信する機能を備え、
任意の無線基地局が立ち上げ時に上位に接続された装置にマスタ／スレーブ識別のための問合せを送信し、応答を受信しない場合は自己をマスタの無線基地局と識別し、応答を受信した場合は自己をスレーブの無線基地局と識別することを特徴とする無線基地局のマスタ／スレーブ識別方法。
【請求項２】
伝送路を介して接続される上位装置との接続手段としての第１の伝送路インタフェース部と、
装置内の信号を分離多重し、信号の種類に応じてルーティングする伝送路信号切替機能部と、
保守監視制御を実施する保守監視制御部と、
下位の装置と伝送路を介して接続するための第２の伝送路インターフェース部とを備える無線基地局において、
前記伝送路信号切替機能部に、マスタ／スレーブ識別のための問合せを前記保守監視制御部から前記第１の伝送路インタフェース部へ、又は前記第２の伝送路インタフェース部から前記保守監視制御部へルーティングし、前記問合せに対する応答を前記保守監視制御部から前記第２の伝送路インタフェース部へ、又は前記第１の伝送路インタフェース部から前記保守監視制御部へルーティングするマスタ／スレーブ識別用のルーティングを行う機能を設け、
前記保守監視制御部に、前記伝送路信号切替機能部からマスタ／スレーブ識別のための問合せを受け取るとマスタ／スレーブ識別のための応答を出力する機能と、装置立ち上げ時に前記伝送路信号切替機能部にマスタ／スレーブ識別のための問合せを出力し、前記伝送路信号切替機能部から前記問合せに対する応答を受け取らない場合は自己をマスタの無線基地局と識別し、応答を受け取ると自己をスレーブの無線基地局と識別する機能とを設けたことを特徴とする無線基地局。
【請求項３】
第１の伝送路インタフェース部が、伝送路よりクロックを抽出して前記第２の伝送路インタフェース部に出力し、
前記第２の伝送路インタフェース部が、入力される前記クロックを基準に伝送路送信クロックを生成することを特徴とする請求項２記載の無線基地局。
【発明の詳細な説明】
【０００１】
【発明の属する技術分野】
本発明は、無線網制御装置と無線基地局間とをＡＴＭ伝送を用いて接続する移動通信システムにおける無線基地局のマスタ／スレーブ識別方法及び無線基地局に係り、特に複数無線基地局をカスケード（多段）接続する際に、簡単なソフトウェア処理によってマスタ／スレーブ識別を行うことができる無線基地局のマスタ／スレーブ識別方法及び無線基地局に関する。
【０００２】
【従来の技術】
一般的な移動通信システムは、移動局１と、移動局１との無線通信を行う無線基地局２と、複数の無線基地局２間での回線接続制御を司る無線網制御装置３と、無線網制御装置３と網５との交換制御を行う交換機４とから構成されている。
【０００３】
従来、無線基地局２の増設は、新たな無線基地局２を無線網制御装置３に接続する方法が一般的であった。
特に、複数の無線基地局２と無線網制御装置３との間を非同期転送モード（Ａｓｙｎｃｈｒｏｎｏｕｓ  Ｔｒａｎｓｆｅｒ  Ｍｏｄｅ：ＡＴＭ）で接続する技術としては、平成１３年１２月２５日公表の特表２００１−５２７３６８号「移動通信用の非同期転送モードのプラットフォーム」（出願人：テレフオンアクチーボラゲット  エル  エム  エリクソン、発明者：ペテルセン他）がある（特許文献１参照）。
【０００４】
また、２つの無線基地局をディジタル公衆回線などを介して交換局に接続し、一方をマスタとし他方をスレーブとして、マスタ−スレーブ間をケーブルで接続し、マスタからスレーブに同期を採るための信号を送信して双方の同期を取る技術が平成７年３月３１日公開の特開平７−８７５５８号「ディジタルコードレス電話システム」（出願人：日本電気株式会社、発明者：中原  達）がある（特許文献２参照）。
【０００５】
また、２つの無線基地局を接続線で回線網に接続し、一方をマスタとし他方をスレーブとして、マスタが網から抽出した網同期クロックと任意の自局無線フレームタイミングとのオフセット時間を送信し、スレーブが、網から抽出した網同期クロックと受信したオフセット時間とに基づいてマスターに同期するようにタイミングを生成して同期を取る技術が平成１２年３月１４日公開の特開２０００−７８６４３号「ディジタルコードレス電話システム」（出願人：京セラ株式会社、発明者：飯室  一敬）がある（特許文献３参照）。
【０００６】
また、新たな無線基地局２を無線網制御装置３に接続して増設するのではなく、サービスエリアを広げるために、小型無線基地局を従来の無線基地局に専用線で接続して、遠隔地に位置するサービスエリア内の移動局との通信を行う技術としては、平成９年７月３１日公開の特開平９−２００８３９号「小型無線基地局」（出願人：エヌ・ティ・ティ移動通信網株式会社、発明者：田中  晋也他）がある（特許文献４参照）。
【０００７】
上記技術を組み合わせると、図１１に示すように、交換機４を介して網５に接続される無線網制御装置３にＡＴＭ回線で１台の無線基地局２を接続し、更に当該無線基地局２にＡＴＭ回線で別の無線基地局２を接続するカスケード接続を行って無線基地局２を増設する方法が考えられる。図１１は、無線基地局２をカスケード接続によって接続した移動通信システムを示すシステム構成図である。
【０００８】
図１１に示すように、カスケード接続方法によって無線基地局２を増設する際は、無線基地局２同士を直接ＡＴＭ回線を使用して接続する。
以下、無線網制御装置３と直接ＡＴＭ回線を使用して接続される無線基地局２をマスタ無線基地局２Ｍとし、このマスタ無線基地局２Ｍと直接接続される無線基地局２をスレーブ無線基地局２Ｓとする。
【０００９】
従来の無線基地局をカスケード接続方法によって接続する場合には、予め設置段階、又は運用開始前の段階で、無線基地局２をマスタとして動作させるのか、スレーブとして動作させるのかを決定しておき、ＤＩＰ−ＳＷ等のハード的な設定を行うか、又は記憶領域にソフト的にマスタ／スレーブ情報等を設定しておき、立ち上げ時などにマスタかスレーブかを識別するための手段がハード的、又はソフト的な設定内容をチェックすることにより識別していた。
【００１０】
【特許文献１】
特表２００１−５２７３６８号公報
【特許文献２】
特開平７−８７５５８号公報
【特許文献３】
特開２０００−７８６４３号公報
【特許文献４】
特開平９−２００８３９号公報
【００１１】
【発明が解決しようとする課題】
しかしながら、従来の無線基地局では、予め各無線基地局２にマスタ／スレーブの別を登録しなければならないので保守管理がしにくく、また人為的に設定を行うため設定誤りにより、システムとしての信頼性を低下させる可能性があるという問題点があった。
また、また、ＤＩＰ−ＳＷ及びマスタ／スレーブを識別するための手段が必要なため、実装面積及びコスト面の観点からも冗長が生じるという問題点があった。
【００１２】
本発明は上記実情に鑑みて為されたもので、カスケード接続による無線基地局の増設／撤去を効率よく臨機応変に行うことができ、且つ簡単な処理によって各無線基地局のマスタ／スレーブ識別を行うことができる無線基地局のマスタ／スレーブ識別方法及び無線基地局を提供する事にある。
【００１３】
【課題を解決するための手段】
上記従来例の問題点を解決するための本発明は、無線網制御装置に伝送路を介して複数の無線基地局を多段接続する移動通信システムにおける各無線基地局のマスタ／スレーブ識別方法であって、
無線基地局に、下位の無線基地局からのマスタ／スレーブ識別のための問合せを受信すると下位の無線基地局に応答を送信する機能を備え、
任意の無線基地局が立ち上げ時に上位に接続された装置にマスタ／スレーブ識別のための問合せを送信し、応答を受信しない場合は自己をマスタの無線基地局と識別し、応答を受信した場合は自己をスレーブの無線基地局と識別するものなので、
多段接続による無線基地局の増設／撤去を効率よく臨機応変に行うことができ、且つ簡単な処理によって各無線基地局のマスタ／スレーブ識別を行うことができる。
【００１４】
上記従来例の問題点を解決するための本発明は、
伝送路を介して接続される上位装置との接続手段としての第１の伝送路インタフェース部と、
装置内の信号を分離多重し、信号の種類に応じてルーティングする伝送路信号切替機能部と、
保守監視制御を実施する保守監視制御部と、
下位の装置と伝送路を介して接続するための第２の伝送路インターフェース部とを備える無線基地局において、
伝送路信号切替機能部に、マスタ／スレーブ識別のための問合せを保守監視制御部から第１の伝送路インタフェース部へ、又は第２の伝送路インタフェース部から保守監視制御部へルーティングし、問合せに対する応答を保守監視制御部から第２の伝送路インタフェース部へ、又は第１の伝送路インタフェース部から保守監視制御部へルーティングするマスタ／スレーブ識別用のルーティングを行う機能を設け、
保守監視制御部に、伝送路信号切替機能部からマスタ／スレーブ識別のための問合せを受け取るとマスタ／スレーブ識別のための応答を出力する機能と、装置立ち上げ時に伝送路信号切替機能部にマスタ／スレーブ識別のための問合せを出力し、伝送路信号切替機能部から問合せに対する応答を受け取らない場合は自己をマスタの無線基地局と識別し、応答を受け取ると自己をスレーブの無線基地局と識別する機能とを設けたものなので、
多段接続による無線基地局の増設／撤去を効率よく臨機応変に行うことができ、且つ簡単な処理によって各無線基地局のマスタ／スレーブ識別を行うことができる。
【００１５】
上記従来例の問題点を解決するための本発明は、上記無線基地局において、
第１の伝送路インタフェース部が、伝送路よりクロックを抽出して第２の伝送路インタフェース部に出力し、
第２の伝送路インタフェース部が、入力されるクロックを基準に伝送路送信クロックを生成するものなので、
多段接続した複数の無線基地局を上位の装置のクロックに同期して動作させることができる。
【００１６】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１７】
本発明に係る無線基地局のマスタ／スレーブ識別方法は、無線網制御装置に伝送路を介して複数の無線基地局を多段接続する場合に、無線基地局に、下位の無線基地局からのマスタ／スレーブ識別のための問合せを受信すると下位の無線基地局に応答を送信する機能を備え、任意の無線基地局が立ち上げ時に上位に接続された装置にマスタ／スレーブ識別のための問合せを送信し、応答を受信しない場合は自己をマスタの無線基地局と識別し、応答を受信した場合は自己をスレーブの無線基地局と識別するものなので、多段接続による無線基地局の増設／撤去を効率よく臨機応変に行うことができ、且つ簡単な処理によって各無線基地局のマスタ／スレーブ識別を行うことができるものである。
【００１８】
本発明に係る無線基地局は、下位の装置からのマスタ／スレーブ識別のための問合せを第２の伝送路インタフェース部が受け取ると、伝送路信号切替機能部が保守監視制御部へルーティングし、保守監視制御部が、マスタ／スレーブ識別のための応答を出力して、伝送路信号切替機能部が第２の伝送路インタフェース部を介して下位の装置へ送信し、保守監視制御部がマスタ／スレーブ識別のための問合せを伝送路信号切替機能部へ出力すると、伝送路信号切替機能部が第１の伝送路インタフェース部へルーティングして上位の装置に送信し、上位の装置からマスタ／スレーブ識別のための応答を受け取らなければ、自己をマスタの無線基地局と識別し、上位の装置からマスタ／スレーブ識別のための応答を第１の伝送路インタフェース部から受信し、伝送路信号切替機能部が保守監視制御部へルーティングすれば、自己をスレーブの無線基地局と識別するものなので、多段接続による無線基地局の増設／撤去を効率よく臨機応変に行うことができ、且つ簡単な処理によって各無線基地局のマスタ／スレーブ識別を行うことができるものである。
【００１９】
尚、本発明の実施の形態における各部と図１の各部との対応を示すと第１の伝送路インタフェース部は伝送路インターフェース部２１に相当し、伝送路信号切替機能部は伝送路信号切替機能部２５に相当し、保守監視制御部は保守監視制御部２３に相当し、第２の伝送路インターフェース部は無線基地局インターフェース部２４に相当している。
【００２０】
本発明の無線基地局のマスタ／スレーブ識別方法を実現する通信システムは、従来技術と同様に、図１１で説明したように、移動局１と、移動局１との無線通信を行う無線基地局２と、複数の無線基地局２間での回線接続制御を司る無線網制御装置３と、無線網制御装置３と網５との交換制御を行う交換機４とから構成される。
【００２１】
そして、無線網制御装置３にＡＴＭ回線で１台の無線基地局２を接続し、更に当該無線基地局２にＡＴＭ回線で別の無線基地局２をカスケード（多段）接続によって接続し、無線網制御装置３と直接ＡＴＭ回線を使用して接続される無線基地局２を制御する側のマスタ無線基地局２Ｍとし、このマスタ無線基地局２Ｍと直接接続される無線基地局２を制御される側のスレーブ無線基地局２Ｓとする。
【００２２】
次に、本発明の無線基地局２の内部構成について、図１を使って説明する。図１は、本発明の無線基地局２の内部構成例を示すブロック図である。
ここで重要なのは、マスタ無線基地局２Ｍの内部構成とスレーブ無線基地局２Ｓの内部構成は、全く同様である点と、各無線基地局２を構成する各部が、装置電源投入時に自己がマスタであるかスレーブであるかを判断し、判断結果に応じて、各部におけるマスタ／スレーブ別の動作を行う点である。
【００２３】
そして、各無線基地局２が、装置電源投入時に自己がマスタであるかスレーブであるかを判断するマスタ／スレーブ識別方法が、本発明の特徴部分である。
【００２４】
まず、無線基地局２の内部構成について説明するが、図１では、上部に示した無線基地局２が無線網制御装置３に直結するマスタ無線基地局２Ｍであり、下部に示した無線基地局２がスレーブ無線基地局２Ｓであり、それぞれ各部の符号にＭ又はＳを付して示している。
【００２５】
そして、各部の具体的な説明では、マスタ／スレーブ共通の機能については、Ｍ、Ｓを除いた符号で説明し、それぞれの特徴的な機能についてては、Ｍ、Ｓを付した符号で説明する。尚、各部におけるマスタ／スレーブの比較については、図２にまとめて示している。図２は、本発明のマスタ無線基地局２Ｍとスレーブ無線基地局２Ｓの機能比較一覧を示す説明図である。
【００２６】
本発明の無線基地局２は、伝送路インターフェース部２１と、呼処理制御部２２と、保守監視制御部２３と、無線基地局インターフェース部２４と、伝送路信号切替機能部２５と、無線送受信部２６と、無線増幅部２７と、記憶部２８と、アンテナ２９とから構成されている。
【００２７】
伝送路インターフェース部２１は、上位に位置する装置との接続通信手段であり、本発明では伝送路であるＡＴＭ伝送路を用いて上位装置との間で制御信号及びユーザ信号をやり取りするインターフェース機能を実現する。
実際には、マスタ無線基地局２Ｍにおける伝送路インターフェース部２１Ｍは、無線網制御装置３との接続通信を行い、無線網制御装置３からの呼処理制御信号及び保守監視制御信号の送受信を行い、スレーブ無線基地局２Ｓにおける伝送路インターフェース部２１Ｓは、マスタ無線基地局２Ｍからの呼処理制御信号及び保守監視制御信号の送受信を行う。
【００２８】
呼処理制御部２２は、移動通信システムにおける呼処理の制御を行うもので、実質的には、マスタ無線基地局２Ｍにおける呼処理制御部２２Ｍのみの機能となり、スレーブ無線基地局２Ｓの呼処理制御部２２Ｓでは、使用されない。
マスタ無線基地局２Ｍにおける呼処理制御部２２Ｍでは、無線網制御装置３からの呼処理制御信号の送受信と、無線回線の管理及び設定／解放制御を行い、呼処理の監視や呼制御を行い、それらに関する各種測定を行う。
【００２９】
保守監視制御部２３は、無線基地局２の保守監視制御を実施するもので、具体的には、装置の電源投入直後に、本発明特徴部分として、自己がマスタ無線基地局２Ｍであるのかスレーブ無線基地局２Ｓであるのかを判定するマスタ／スレーブ識別処理を行い、識別結果に応じた装置の設定処理を行ってから通常の運用状態に入り、マスタ／スレーブそれぞれの立場で、上位に位置する装置との間で保守監視制御信号の送受信をおこない、自己の状態管理及び状態制御などを行う。
【００３０】
尚、本発明の保守監視制御部２３の特徴として、マスタ／スレーブ識別処理として、［マスタ／スレーブ要求」を送信すると共に、［マスタ／スレーブ要求」を受信すると「マスタ／スレーブ応答」を返信するようになっている。
【００３１】
そして、特に、マスタ無線基地局２Ｍにおける保守監視制御部２３Ｍでは、装置の設定処理の中で、動作時の初期パラメータであるシステムパラメータや装置の固有情報である装置構成情報を他の機能部に配信すると共に、下位のスレーブ無線基地局２Ｓに対してシステムパラメータの配信制御や装置構成情報の配信制御を行う。
【００３２】
また、運用状態に遷移してからは、特に、マスタ無線基地局２Ｍにおける保守監視制御部２３Ｍでは、無線網制御装置３からの保守監視制御信号の送受信を行い、マスタ無線基地局２Ｍとしての自己の状態管理及び状態制御などを行うと共に、下位のスレーブ無線基地局２Ｓに対して状態管理及び状態制御などを行う。具体的な処理フローについては、後述する。
【００３３】
そして、スレーブ無線基地局２Ｓにおける保守監視制御部２３Ｓでは、装置の設定処理の中で、マスタ無線基地局２Ｍから配信されるシステムパラメータや装置構成情報を受信して他の機能部に配信する。
また、保守監視制御部２３Ｓでは、運用状態に遷移してからはマスタ無線基地局２Ｍからの保守監視制御信号の送受信を行い、スレーブ無線基地局２Ｓとしての自己の状態管理及び状態制御などを行う。具体的な処理フローについては、後述する。
【００３４】
無線基地局インターフェース部２４は、下位の無線基地局２との接続通信手段であり、本発明では伝送路であるＡＴＭ伝送路を用いて下位の無線基地局２との間で制御信号及びユーザ信号をやり取りするインターフェース機能を実現する。無線基地局インターフェース部２４は、実質的には、マスタ無線基地局２Ｍにおける無線基地局インターフェース部２４Ｍのみの機能となり、スレーブ無線基地局２Ｓの無線基地局インターフェース部２４Ｓでは、使用されない。
マスタ無線基地局２Ｍにおける無線基地局インターフェース部２４Ｍでは、スレーブ無線基地局２Ｓからの呼処理制御信号及び保守監視制御信号の送受信を行う。
【００３５】
伝送路信号切替機能部２５は、装置内の信号を分離多重する部分で、通常ＡＴＭスイッチにて構成され、保守監視制御部２３から設定されたルーティング設定に従って、各インターフェース部からの信号や各制御部からの信号を、その信号の種類に応じてルーティングするものである。
【００３６】
伝送路信号切替機能部２５における一般的なルーティングの具体例としては、例えば、伝送路インターフェース部２１で取り出された下り回線のＡＴＭセルは、呼制御信号等の無線基地局制御信号であれば呼処理制御部２２へルーティングされ、保守監視信号等の無線基地局制御信号であれば保守監視制御部２３へルーティングされ、ユーザデータであれば、無線送受信部２６へルーティングといった具合である。
また、上り回線のＡＴＭセルは、各ブロックから送信されるＡＴＭセルを多重し、伝送路インターフェース部２１へルーティングする。
【００３７】
更に伝送路信号切替機能部２５では、呼処理制御部２２や保守監視制御部２３から無線送受信部２６へ、又はその逆といった様に、装置内に限定された制御信号をスイッチング（ルーティング）することも可能である。
【００３８】
そして、本発明のように無線基地局２のカスケード接続を行うための伝送路信号切替機能部２５の特徴として、下位に位置するスレーブ無線基地局２Ｓとの接続を行う無線基地局インターフェース部２４とのスレーブ無線基地局用入出力ポートを配備している。
【００３９】
また、本発明の特徴部分として、自己がマスタ無線基地局２Ｍであるかスレーブ無線基地局２Ｓであるかを判断するためのマスタ／スレーブ要求信号とマスタ／スレーブ応答信号とをやり取りするための特別なマスタ／スレーブ識別用ルーティング設定が設けられている。
また、自己がマスタ無線基地局２Ｍであるかスレーブ無線基地局２Ｓであるかによって、それぞれ異なるルーティング設定が必要となる。
【００４０】
ここで、伝送路信号切替機能部２５におけるルーティング設定の具体例は、図３〜図６に示すように、各々ＡＴＭにおける仮想パス識別子（Ｖｉｒｔｕａｌ  Ｐａｔｈ  Ｉｄｅｎｔｉｆｉｅｒ：ＶＰＩ）と仮想チャネル識別子（Ｖｉｒｔｕａｌ  Ｃｈａｎｎｅｌ  Ｉｄｅｎｔｉｆｉｅｒ：ＶＣＩ）を割り当てている。図３は、本発明のマスタ／スレーブ要求用のルーティング設定例を示す説明図であり、図４は、本発明のマスタ／スレーブ応答用のルーティング設定例を示す説明図であり、図５は、本発明のマスタ無線基地局２Ｍの運用時のルーティング設定例を示す説明図であり、図６は、本発明のスレーブ無線基地局２Ｓの運用時のルーティング設定例を示す説明図である。
【００４１】
無線送受信部２６は、移動局１と無線インタフェースを介して接続する一般的な手段であり、無線を用いた信号伝送の為、ＡＴＭセルへの信号分解／組み立てを行うと共に、送受信データの符号化／復号化及び変復調を施し、無線増幅部２７とはアナログ信号にて信号送受を行うものである。
【００４２】
無線増幅部２７は、無線送受信部２６からの信号を増幅してアンテナ２９へ送信すると共に、アンテナ２９からの信号を受信増幅して無線送受信部２６へ送出する一般的な増幅部である。
アンテナ２９は、無線電波の送受信をおこなう一般的な無線アンテナである。
【００４３】
記憶部２８は、予めマスタ無線基地局２Ｍ用のルーティング設定及び実行プログラムログラムと、スレーブ無線基地局２Ｓ用のルーティング設定及び実行プログラムログラムと、装置構成情報とシステムパラメータとを保持している固定記憶と、自己がマスタ無線基地局２Ｍであるかスレーブ無線基地局２Ｓであるかの識別結果（識別情報）と装置構成情報とシステムパラメータとを一時的に保持する一時記憶とを備える記憶部である。
なお、システムパラメータとは、各無線基地局２における動作時の初期パラメータであり、装置構成情報とは、装置のメーカ名や型番等の装置固有の情報である。
【００４４】
尚、マスタ無線基地局２Ｍでは、固定記憶に予め保持されていた装置構成情報とシステムパラメータが一時記憶に保持されて運用段階で用いられるが、スレーブ無線基地局２Ｓでは、マスタ無線基地局２Ｍから配信された装置構成情報とシステムパラメータが一時記憶に保持されて運用段階で用いられることになる。
【００４５】
次に、保守監視制御部２３の具体的な処理動作例について、図７を使って説明する。図７は、本発明の保守監視制御部２３の処理の流れを示すフローチャート図である。
本発明の保守監視制御部２３は、無線基地局２の装置電源が投入されると起動され、自身がマスタ無線基地局２Ｍなのかスレーブ無線基地局２Ｓなのかを識別する動作に必要最低限の初期化を行う（１００）。
【００４６】
ここで、初期化処理としては、伝送路インターフェース部２１の初期化及び伝送路信号切替機能部２５に対して「マスタ／スレーブ要求」及び「マスタ／スレーブ応答」用のルーティング設定を行う。
【００４７】
次に、保守監視制御部２３は、マスタ／スレーブ識別処理として、伝送路インターフェース部２１に対して「マスタ／スレーブ要求」のＡＴＭセルを送信し（１０２）、「マスタ／スレーブ応答」を受信したか判断し（１０４）、「マスタ／スレーブ応答」を受信しない場合（Ｎｏ）は、自己がマスタ無線基地局２Ｍであると判断され、マスタである識別情報を記憶部２８に記憶し（１１０）、マスタ無線基地局２Ｍとしての装置設定処理（マスタ装置設定処理）を行って（１１５）、運用状態へ遷移する。
【００４８】
ここで、マスタ無線基地局２Ｍの保守監視制御部２３Ｍでは、運用状態へ遷移すると、無線網制御装置３からの保守監視制御信号待ち状態となるのと同時に、自己（マスタ無線基地局２Ｍ）及びスレーブ無線基地局２Ｓの状態監視を開始する。
そして、スレーブ無線基地局２Ｓ側の状態監視において状態変化を検出すると、スレーブ無線基地局２Ｓの保守監視制御部２３Ｓから伝送路インターフェース部２１Ｓ経由でＡＴＭデータとしてマスタ無線基地局２Ｍの保守監視制御部２３Ｍへ通知され、状態管理及び制御が行われるものとする。
【００４９】
一方、処理１０４において、「マスタ／スレーブ応答」を受信した場合（Ｙｅｓ）は、自己がスレーブ無線基地局２Ｓであると判断され、スレーブである識別情報を記憶部２８に記憶し（１２０）、スレーブ無線基地局２Ｓとしての装置設定処理（スレーブ装置設定処理）を行って（１２５）、運用状態へ遷移するようになっている。
【００５０】
尚、図７には示していないが、保守監視制御部２３では、割り込み的に［マスタ／スレーブ要求」を受信すると、「マスタ／スレーブ応答」を無線基地局インターフェース部２４に対して送信するようになっており、無線網制御装置３には、［マスタ／スレーブ要求」に対して「マスタ／スレーブ応答」を返送する機能はないため、スレーブ無線基地局２Ｓのみが「マスタ／スレーブ応答」を受信できることになる。
【００５１】
次に、図７の処理１１５のマスタ装置設定処理の具体的な処理例について、図８を使って説明する。図８は、本発明の保守監視制御部２３のマスタ装置設定処理の流れを示すフローチャート図である。
本発明の保守監視制御部２３のマスタ装置設定処理は、マスタ無線基地局２Ｍとしてのハードウェアの初期化処理として呼処理制御部２２Ｍおよび保守監視制御部２３Ｍ等の各処理部の初期化を行う（２００）。
【００５２】
次に、実行するマスタ用プログラムのバージョンが不正等により正規のものではない等の理由で、ダウンロードが必要か判断し（２０２）、必要ない場合（Ｎｏ）はそのまま処理２１０に進み、必要な場合（Ｙｅｓ）は、正しいプログラムを記憶部２８Ｍからダウンロードしてから（２０４）、処理２１０に進む。
【００５３】
そして、記憶部２８Ｍからシステムパラメータを読み出して他の機能部に配信し（２１０）、現在カスケード接続状態なのか判断し（２１２）、カスケード接続でない場合（Ｎｏ）は、そのまま処理２２０に進み、カスケード接続の場合（Ｙｅｓ）は、読み出したシステムパラメータをスレーブ無線基地局２Ｓへ配信してから（２１４）、処理２２０に進む。
【００５４】
そして、記憶部２８Ｍから装置構成情報を読み出して他の機能部に配信し（２２０）、現在カスケード接続状態なのか判断し（２２２）、カスケード接続でない場合（Ｎｏ）は、そのままマスタ装置設定処理を終了し、カスケード接続の場合（Ｙｅｓ）は、読み出した装置構成情報をスレーブ無線基地局２Ｓへ配信してから（２２４）、マスタ装置設定処理を終了する。
【００５５】
次に、図７の処理１２５のスレーブ装置設定処理の具体的な処理例について、図９を使って説明する。図９は、本発明の保守監視制御部２３のスレーブ装置設定処理の流れを示すフローチャート図である。
本発明の保守監視制御部２３のスレーブ装置設定処理は、スレーブ無線基地局２Ｓとしてのハードウェアの初期化処理として無線基地局インターフェース部２４を除くその他の処理部の初期化を行う（３００）。
【００５６】
次に、実行するスレーブ用プログラムのバージョンが不正等により正規のものではない等の理由で、ダウンロードが必要か判断し（３０２）、必要ない場合（Ｎｏ）はそのまま処理３１０に進み、必要な場合（Ｙｅｓ）は、正しいプログラムを記憶部２８Ｓからダウンロードしてから（３０４）、処理３１０に進む。
【００５７】
そして、マスタ無線基地局２Ｍから配信されるシステムパラメータを受信したか判断し（３１０）、受信するまで３１０を繰り返し、システムパラメータを受信したなら（Ｙｅｓ）、受信したシステムパラメータを保守監視制御部２３Ｓ内に保持し（３１２）、マスタ無線基地局２Ｍから配信される装置構成情報を受信したか判断し（３２０）、受信するまで３２０を繰り返し、装置構成情報を受信したなら（Ｙｅｓ）、受信した装置構成情報を保守監視制御部２３Ｓ内に保持し（３２２）、スレーブ装置設定処理を終了する。
【００５８】
次に、呼処理制御部２２の具体的な処理動作例について、図１０を使って説明する。図１０は、本発明の呼処理制御部２２の処理の流れを示すフローチャート図である。
本発明の呼処理制御部２２は、保守監視制御部２３から起動され、自身がマスタ無線基地局２Ｍなのかスレーブ無線基地局２Ｓなのかに関連しない必要最低限の初期化を行い（４００）、記憶部２８からマスタ／スレーブの識別情報を読み込み（４０２）、マスタであるか判断し（４０４）、自己がマスタ無線基地局２Ｍでない（Ｎｏ）、即ちスレーブ無線基地局２Ｓと判断されると、スレーブ用のハードの初期化として、スレーブ用のルーティング設定情報を記憶部２８から読み出して、伝送路信号切替機能部２５に設定し（４０６）、休止状態となる。
【００５９】
ここで、スレーブ無線基地局２Ｓにおいては、通常呼処理制御部２２で行われる呼処理の制御はマスタ無線基地局２Ｍ側の呼処理制御部２２Ｍにより制御／管理されるものとして、呼処理制御部２２Ｓは休止状態となる。
【００６０】
一方、処理４０４において、自己がマスタ無線基地局２Ｍであると判断されると（Ｙｅｓ）、マスタ無線基地局２Ｍとしてのハードウェアの初期化処理として、マスタ用のルーティング設定情報を記憶部２８から読み出して、伝送路信号切替機能部２５に設定する（４１０）。
【００６１】
次に、実行するマスタ用プログラムのバージョンが不正等により正規のものではない等の理由で、ダウンロードが必要か判断し（４１２）、必要ない場合（Ｎｏ）はそのまま処理４２０に進み、必要な場合（Ｙｅｓ）は、正しいプログラムを記憶部２８Ｍからダウンロードしてから（４１４）、記憶部２８Ｍからシステムパラメータを読み出して内部に保持し（４２０）、運用状態に遷移し、無線網制御装置３からの呼処理制御信号待ちとなる。
【００６２】
次に、本発明の無線基地局のマスタ／スレーブ識別方法を実現する無線基地局２（マスタ無線基地局２Ｍ、スレーブ無線基地局２Ｓ）の動作について、図１１，図１，図３〜図５を使って説明する。
本発明では、図１１に示したシステム構成下において、マスタ無線基地局２Ｍ及びスレーブ無線基地局２Ｓが全く同様の構成を有する無線基地局２であり、無線網制御装置３に対する接続状態としては差があるが、装置電源投入前の段階では両者に内部構成の役割などの差はない。
【００６３】
そして、２つの無線基地局２に電源が投入され、互いのやり取りの中で、無線網制御装置３と直接ＡＴＭ回線を使用して接続される無線基地局２がマスタ無線基地局２Ｍとして識別され、このマスタ無線基地局２Ｍと直接接続される無線基地局２がスレーブ無線基地局２Ｓとして識別され、各々識別された役割で動作を開始することになる。
【００６４】
具体的には、先に無線網制御装置３と直接ＡＴＭ回線を使用して接続される無線基地局２（マスタ無線基地局２Ｍ）で電源が投入され、保守監視制御部２３Ｍの動作によって、伝送路信号切替機能部２５Ｍにマスタ／スレーブ識別用ルーティング設定が為され、「マスタ／スレーブ要求」が出力され、伝送路信号切替機能部２５Ｍのルーティングにより、伝送路インターフェース部２１ＭからＡＴＭ回線経由で無線網制御装置３に送信される。
【００６５】
無線網制御装置３では、「マスタ／スレーブ要求」に対する処理が実現されていないことから無視され、マスタ無線基地局２Ｍの保守監視制御部２３Ｍでは、「マスタ／スレーブ応答」が受信されず、自己がマスタ無線基地局２Ｍであると判断され、マスタである識別情報が記憶部２８Ｍに記憶され、マスタ無線基地局２Ｍとしての装置設定処理が為されて運用状態へ遷移する。
【００６６】
この時、マスタ無線基地局２Ｍの伝送路信号切替機能部２５Ｍには、図５に示したマスタ用ルーティング設定が為され、呼処理制御部２２Ｍも無線網制御装置３との間で呼処理制御を行い、また無線基地局インターフェース部２４Ｍも起動されて、スレーブ無線基地局２Ｓとの通信が可能となる。
【００６７】
そして、マスタ無線基地局２Ｍがマスタとして動作を開始した状態で、または少なくとも、伝送路信号切替機能部２５Ｍにマスタ／スレーブ識別用ルーティング設定が為された状態で、スレーブ無線基地局２Ｓの電源が投入されると、保守監視制御部２３Ｓの動作によって、伝送路信号切替機能部２５Ｓにマスタ／スレーブ識別用ルーティング設定が為され、「マスタ／スレーブ要求」が出力され、伝送路信号切替機能部２５Ｓのルーティングにより、伝送路インターフェース部２１ＳからＡＴＭ回線経由でマスタ無線基地局２Ｍに送信される。
【００６８】
マスタ無線基地局２Ｍでは、無線基地局インターフェース部２４Ｍが「マスタ／スレーブ要求」を受信して伝送路信号切替機能部２５Ｍに出力し、伝送路信号切替機能部２５Ｍのルーティングにより保守監視制御部２３Ｍが受け取り、「マスタ／スレーブ要求」に対する「マスタ／スレーブ応答」が伝送路信号切替機能部２５Ｍに出力され、伝送路信号切替機能部２５Ｍのルーティングにより、無線基地局インターフェース部２４ＭからＡＴＭ回線経由でスレーブ無線基地局２Ｓに送信される。
【００６９】
そして、スレーブ無線基地局２Ｓでは、「マスタ／スレーブ応答」が伝送路インターフェース部２１Ｓから伝送路信号切替機能部２５Ｓに出力され、伝送路信号切替機能部２５Ｓのルーティングにより、保守監視制御部２３Ｓが受け取り、自己がスレーブ無線基地局２Ｓであると判断され、スレーブである識別情報が記憶部２８Ｓに記憶され、スレーブ無線基地局２Ｓとしての装置設定処理が為されて運用状態へ遷移する。
【００７０】
この時、スレーブ無線基地局２Ｓの伝送路信号切替機能部２５Ｓには、図６に示したスレーブ用ルーティング設定が為され、呼処理制御部２２Ｓ、無線基地局インターフェース部２４Ｓは基本的に動作しない。
【００７１】
次に、マスタ無線基地局２Ｍ及びスレーブ無線基地局２Ｓが通常の運用状態にはいった時の伝送路信号切替機能部２５Ｍ、伝送路信号切替機能部２５Ｓにおけるルーティング動作について簡単に説明する。
【００７２】
マスタ無線基地局２Ｍの伝送路信号切替機能部２５Ｍでは、マスタ無線基地局２Ｍの伝送路インターフェース部２１Ｍより「ＶＰＩ＝０、ＶＣＩ＝２０」でＡＴＭセルを受信すると、保守監視制御部２３Ｍへ「ＶＰＩ＝０、ＶＣＩ＝２０」でＡＴＭセルを送信する。
逆もまた同様に、保守監視制御部２３Ｍより「ＶＰＩ＝１、ＶＣＩ＝２０」でＡＴＭセルを受信すると、伝送路インターフェース部２１Ｍへ「ＶＰＩ＝１、ＶＣＩ＝２０」でＡＴＭセルを送信する。
【００７３】
また、マスタ無線基地局２Ｍの伝送路信号切替機能部２５Ｍでは、伝送路インターフェース部２１Ｍより「ＶＰＩ＝０、ＶＣＩ＝２０」でＡＴＭセルを受信すると、無線基地局インターフェース部２４Ｍへ「ＶＰＩ＝０、ＶＣＩ＝２０」でＡＴＭセルを送信する。
【００７４】
このセルはカスケード接続されたＡＴＭ回線を介してスレーブ無線基地局２Ｓの伝送路インターフェース部２１Ｓで「ＶＰＩ＝０、ＶＣＩ＝２０」のＡＴＭセルとして受信され、スレーブ無線基地局２Ｓの無線送受信部２６Ｓへ「ＶＰＩ＝０、ＶＣＩ＝２０」でＡＴＭセルを送信される。
【００７５】
逆もまた同様に、スレーブ無線基地局２Ｓの無線送受信部２６Ｓより「ＶＰＩ＝１、ＶＣＩ＝２０」でＡＴＭセルを受信すると、伝送路インターフェース部２１Ｓへ「ＶＰＩ＝１、ＶＣＩ＝２０」でＡＴＭセルを送信する。
このセルはＡＴＭ回線を介してマスタ無線基地局２Ｍの無線基地局インターフェース部２４Ｍで「ＶＰＩ＝１、ＶＣＩ＝２０」のＡＴＭセルとして受信される。すると、マスタ無線基地局２Ｍの伝送路インターフェース部２１Ｍへ「ＶＰＩ＝１、ＶＣＩ＝２０」でＡＴＭセルを送信される。
【００７６】
マスタ無線基地局２Ｍにおける呼処理制御部２２Ｍでは呼制御を、保守監視制御部２３Ｍでは装置内状態監視を司っており、それに伴うマスタ無線基地局２Ｍの各機能ブロックおよびスレーブ無線基地局２Ｓへの制御や無線網制御装置３との信号送受信を実施する。
【００７７】
呼制御信号やユーザデータなどは、カスケード接続されたスレーブ無線基地局２Ｓに前記の様に透過的にＡＴＭセルとしてルーティングされる為、呼制御や通信制御についてマスタ／スレーブ構成とすることの影響は無い。
【００７８】
次に、各無線線基地局２のシステムクロックを無線網制御装置３におけるシステムクロックに同期させる必要がある場合について、その制御方法を説明する。各無線線基地局２のシステムクロックを無線網制御装置３におけるシステムクロックに同期させる必要がある場合、従来の無線基地局の伝送路インタフェース部においても、通常は、伝送路受信信号よりクロック（例えば８ｋＨｚ）を抽出するＰＬＬ回路により、自局（無線基地局）のシステムクロックを上位接続装置である無線網制御装置３に同期させる機能を持つものが存在している。
【００７９】
よって本発明の無線基地局２においても、図１に点線矢印で示す様に、マスタ無線基地局２Ｍの伝送路インターフェース部２１Ｍにおいて伝送路より抽出したクロックを、無線基地局インターフェース部２４Ｍに伝達する経路を持たせ、無線基地局インターフェース部２４Ｍにおいては、当該クロックを基準として伝送路送信クロックを生成し、当該クロックでスレーブ無線基地局２Ｓへのデータ送信を行う構造とする。
【００８０】
そして、スレーブ無線基地局２Ｓの伝送路インターフェース部２１Ｓにおいて伝送路受信信号よりクロックを抽出し、自局（無線基地局２Ｓ）のシステムクロックを上位接続装置であるマスタ無線基地局２Ｍのクロックに同期させ、結果的に無線網制御装置３におけるシステムクロックに同期させることができる。
【００８１】
あるクロックを基準として伝送路送信クロックを生成する手法は、既に市販のデバイスにて容易に実現可能な為、説明を省略する。
これにより、図１のごとくカスケード接続を実施しても、マスタ無線基地局２Ｍ及びスレーブ無線基地局２Ｓが、無線網制御装置３に従属同期が可能なシステムを構築可能である。
【００８２】
本発明の実施の形態の無線基地局２によれば、基本構成はマスタ無線基地局２Ｍであってもスレーブ無線基地局２Ｓであっても同様であり、２つの無線基地局２に電源が投入され、互いのやり取りの中で、無線網制御装置３と直接ＡＴＭ回線を使用して接続される無線基地局２がマスタ無線基地局２Ｍとして識別され、このマスタ無線基地局２Ｍと直接接続される無線基地局２がスレーブ無線基地局２Ｓとして識別され、各々識別された役割で動作を開始することになるので、運用状況に応じて、臨機応変に容易に装置増設が可能であるという効果がある。
【００８３】
即ち、本発明の１台の無線基地局２を無線網制御装置３に接続して運用を開始するときは、当然マスタ無線基地局２Ｍとして運用が開始され、ユーザ数が増加し使用する無線チャネルが不足しているので新たに無線チャネルを増設したい場合、２台目の無線基地局２を既存の無線基地局２に接続し、電源投入時にスレーブ無線基地局２Ｓとして識別され、以降マスタ／スレーブのカスケード接続状態で動作を開始することになり、スレーブ無線基地局２Ｓを動作させるに当たり、マスタ無線基地局２Ｍ側の構成又は設定変更などする必要もなく、容易にシステム構成を増加することを可能とする効果がある。
【００８４】
また、逆にユーザ数が減少し、スレーブ無線基地局２Ｓの運用を停止する場合など、マスタ無線基地局２Ｍ側の構成又は設定変更などする必要もなく、容易にシステム構成を減少させるすることを可能とする効果がある。
【００８５】
また、例えば、一時的にマスタ無線基地局２Ｍとスレーブ無線基地局２Ｓとの役割を交代するような事態になっても、無線網制御装置３に対する接続状態を変更するだけで、容易に役割を交代することができる効果がある。
【００８６】
よって、従来のように、増設する無線基地局２を無線網制御装置３へ接続することによる無線網制御装置３のリソース効率の低下を克服し、無線網制御装置３側の増設なしに、容易に無線基地局数を拡張可能とするシステムを提供可能とする効果がある。
【００８７】
また、特に既存の無線基地局２の近くに増設する場合は、無線基地局２−無線網制御装置３間が長距離であると、従来は新たに無線網制御装置３までの長距離のＡＴＭ伝送路を引き込まなければならず、本発明の場合ＡＴＭ伝送路が短距離で済み、更なるコストダウンが可能となる効果がある。
【００８８】
また、本発明の無線基地局のマスタ／スレーブ識別方法を実現する無線基地局２であれば、マスタ／スレーブ識別の制御を、伝送路信号切替機能部２５におけるマスタ／スレーブ識別用ルーティング設定と、保守監視制御部２３における「マスタ／スレーブ要求」とそれに対する「マスタ／スレーブ応答」の送受信制御というソフト的な機能によって実現するので、従来のカスケード接続用無線基地局に必要とされていたＤＩＰ−ＳＷ等のハード的な構成又は、記憶エリアへの固定的な設定、及びマスタ／スレーブ識別部の機能実現手段の実装を省くごとができるため、実装面積の縮小とコスト面での改善が図れる効果がある。
【００８９】
また、各無線線基地局２のシステムクロックを無線網制御装置３におけるシステムクロックに同期させる必要がある場合においても、マスタ無線基地局２Ｍの伝送路インターフェース部２１Ｍにおいて伝送路より抽出したクロックに従って動作し、更に当該クロックを無線基地局インターフェース部２４Ｍに伝達する経路を持たせ、無線基地局インターフェース部２４Ｍにおいては、当該クロックを基準としてスレーブ無線基地局２Ｓへの伝送路送信クロックを生成する構造とすると、スレーブ無線基地局２Ｓにおいても同様の構成を取ることによってマスタ無線基地局２Ｍのクロックに同期させ、結果的に無線網制御装置３におけるシステムクロックに同期させることができる効果がある。
【００９０】
また、マスタ／スレーブ無線基地局を意識せずとも、取り扱い及び起動が可能なため無線基地局２のシステム保守性を向上できる効果がある。
【００９１】
【発明の効果】
本発明によれば、無線網制御装置に伝送路を介して複数の無線基地局を多段接続する移動通信システムにおける各無線基地局のマスタ／スレーブ識別方法であって、無線基地局に、下位の無線基地局からのマスタ／スレーブ識別のための問合せを受信すると下位の無線基地局に応答を送信する機能を備え、任意の無線基地局が立ち上げ時に上位に接続された装置にマスタ／スレーブ識別のための問合せを送信し、応答を受信しない場合は自己をマスタの無線基地局と識別し、応答を受信した場合は自己をスレーブの無線基地局と識別するものなので、多段接続による無線基地局の増設／撤去を効率よく臨機応変に行うことができ、且つ簡単な処理によって各無線基地局のマスタ／スレーブ識別を行うことができる効果がある。
【００９２】
本発明によれば、伝送路を介して接続される上位装置と第１の伝送路インタフェース部で接続し、伝送路信号切替機能部が装置内の信号を分離多重し、信号の種類に応じてルーティングを行い、保守監視制御部が保守監視制御を実施し、下位の装置と伝送路を介して第２の伝送路インターフェース部で接続する無線基地局において、伝送路信号切替機能部に、マスタ／スレーブ識別のための問合せを保守監視制御部から第１の伝送路インタフェース部へ、又は第２の伝送路インタフェース部から保守監視制御部へルーティングし、問合せに対する応答を保守監視制御部から第２の伝送路インタフェース部へ、又は第１の伝送路インタフェース部から保守監視制御部へルーティングするマスタ／スレーブ識別用のルーティングを行う機能を設け、保守監視制御部に、伝送路信号切替機能部からマスタ／スレーブ識別のための問合せを受け取るとマスタ／スレーブ識別のための応答を出力する機能と、装置立ち上げ時に伝送路信号切替機能部にマスタ／スレーブ識別のための問合せを出力し、伝送路信号切替機能部から問合せに対する応答を受け取らない場合は自己をマスタの無線基地局と識別し、応答を受け取ると自己をスレーブの無線基地局と識別する機能とを設けた無線基地局としているので、多段接続による無線基地局の増設／撤去を効率よく臨機応変に行うことができ、且つ簡単な処理によって各無線基地局のマスタ／スレーブ識別を行うことができる効果がある。
【００９３】
本発明によれば、第１の伝送路インタフェース部が、伝送路よりクロックを抽出して第２の伝送路インタフェース部に出力し、第２の伝送路インタフェース部が、入力されるクロックを基準に伝送路送信クロックを生成する上記無線基地局としているので、多段接続した複数の無線基地局を上位の装置のクロックに同期して動作させることができる。
【図面の簡単な説明】
【図１】本発明の無線基地局の内部構成例を示すブロック図である。
【図２】本発明のマスタ無線基地局とスレーブ無線基地局の機能比較一覧を示す説明図である。
【図３】本発明のマスタ／スレーブ要求用のルーティング設定例を示す説明図である。
【図４】本発明のマスタ／スレーブ応答用のルーティング設定例を示す説明図である。
【図５】本発明のマスタ無線基地局の運用時のルーティング設定例を示す説明図である。
【図６】本発明のスレーブ無線基地局の運用時のルーティング設定例を示す説明図である。
【図７】本発明の保守監視制御部の処理の流れを示すフローチャート図である。
【図８】本発明の保守監視制御部のマスタ装置設定処理の流れを示すフローチャート図である。
【図９】本発明の保守監視制御部のスレーブ装置設定処理の流れを示すフローチャート図である。
【図１０】本発明の呼処理制御部の処理の流れを示すフローチャート図である。
【図１１】無線基地局をカスケード接続によって接続した移動通信システムを示すシステム構成図である。
【符号の説明】
１…移動局、  ２…無線基地局、  ２Ｍ…マスタ無線基地局、  ２Ｓ…スレーブ無線基地局、  ３…無線網制御装置、  ４…交換機、  ５…網、  ２１，２１Ｍ，２１Ｓ…伝送路インターフェース部、  ２２，２２Ｍ，２２Ｓ…呼処理制御部、  ２３，２３Ｍ，２３Ｓ…保守監視制御部、  ２４，２４Ｍ，２４Ｓ…無線基地局インターフェース部、  ２５，２５Ｍ，２５Ｓ…伝送路信号切替機能部、２６，２６Ｍ，２６Ｓ…無線送受信部、  ２７２７Ｍ，２７Ｓ…無線増幅部、２８，２８Ｍ，２８Ｓ…記憶部、  ２９，２９Ｍ，２９Ｓ…アンテナ
【図１】
2004235690.tif 000003
【図２】
2004235690.tif 000004
【図３】
2004235690.tif 000005
【図４】
2004235690.tif 000006
【図５】
2004235690.tif 000007
【図６】
2004235690.tif 000008
【図７】
2004235690.tif 000009
【図８】
2004235690.tif 000010
【図９】
2004235690.tif 000011
【図１０】
2004235690.tif 000012
【図１１】
2004235690.tif 000013